(57)【要約】      （修正有）【課題】より効率的に山林の雨水を集排水することができるとともに、排水詰まりの発生を抑制することのできる集排水管を提供する。【解決手段】集排水管１０は、通水性のある多孔質の材料からなり、一方向に延びる集水部１１と、可撓性のある材料からなり、同じ一方向に延び、集水部１１の下方に配置される断面Ｕ字型の排水部１２とを有し、排水部１２は、集水部１１の一部を挟むように集水部１１と接続される接続部１４と、排水部１２及び集水部１１の間で流水用の空間を形成する空間形成部１５とを有することとしたので、より効率的に山林の雨水を集排水することができるとともに、集水部１１は多孔質の材料からなるため、泥やごみ等が空間１７に入り込むことがない。【選択図】図２
0003210828.tif 000002
【実用新案登録請求の範囲】
【請求項１】
通水性のある多孔質の材料からなり、一方向に延びる集水部と、
可撓性のある材料からなり、前記一方向に延び、前記集水部の下方に配置される排水部とを備え、
前記排水部は、前記集水部と接続される接続部と、前記排水部及び前記集水部の間で流水用の空間を形成する空間形成部とを有する
ことを特徴とする集排水管。
【請求項２】
前記接続部は、前記集水部の一部を外側から挟むように形成され、排水部の外側面と前記集水部との間を通ずる複数の穴を有する
ことを特徴とする請求項１記載の集排水管。
【請求項３】
前記集水部は、可撓性または柔軟性のある材料からなる
ことを特徴とする請求項１または２記載の集排水管。
【考案の詳細な説明】
【技術分野】
【０００１】
本考案は、例えば山林の排水に用いられる集排水管に関するものである。
【背景技術】
【０００２】
従来から大雨等に起因して、山林において地滑り／土砂崩れが発生することがある。このような地滑り／土砂崩れは、雨水の量が山林の保水能力を超えた際に、表面の粘土層と岩盤層との隙間に水流層が発生し、山林の自重により粘土層が滑ることが発生の一因となっている。
【０００３】
このような地滑り／土砂崩れの対策として、同径のＳＧＰ管および井戸用スクリーンを長手方向に１／２切断し、それぞれの切断面を合わせ、電気抵抗溶接により接合させることにより構成され、地すべり対策の集水ボーリング孔口元の保護と、集水ボーリング孔口元付近の地表水および地下水の排水能力を備えたスクリーン付きＳＧＰ管が知られている（例えば、特許文献１参照）。
【先行技術文献】
【特許文献】
【０００４】
【特許文献１】実用新案登録第３１４１１０５号公報
【考案の概要】
【考案が解決しようとする課題】
【０００５】
ところで、地滑り／土砂崩れの対策としては、山林に降った雨水を効率的に排水することが大切である。特に雨水が地面に浸み込む量が多くなると、より土砂を柔らかくしてしまうため、地滑り／土砂崩れが起こる危険性をより高めてしまう。また樹木を伐採した山肌が露出した箇所では地表面を流れる雨水による浸食も深刻な問題となっている。
【０００６】
しかしながら、従来例のスクリーン付きＳＧＰ管は、スクリーンの目から泥やゴミ等が管内に入り込んで排水詰まりを生じ、長期的な使用において集排水機能が損なわれやすいという問題点があった。
【０００７】
本考案は前記問題点に鑑みてなされたものであり、その目的とするところは、より効率的に山林の雨水を集排水することができるとともに、排水詰まりの発生を抑制することのできる集排水管を提供することにある。
【課題を解決するための手段】
【０００８】
本考案は前記目的を達成するために、通水性のある多孔質の材料からなり、一方向に延びる集水部と、可撓性のある材料からなり、前記一方向に延び、前記集水部の下方に配置される排水部とを備え、前記排水部は、前記集水部と接続される接続部と、前記排水部及び前記集水部の間で流水用の空間を形成する空間形成部とを有するように構成している。
【０００９】
これにより、例えば山林の降雨時において、集水部に直接当たる雨水が集水部に吸い込まれ、その後、空間に落ちて、空間内を集排水管が付設された経路に沿って流れる。ここで、集水部は多孔質の材料からなるため、泥やごみ等が排水部の空間に入り込むことがない。
【考案の効果】
【００１０】
本考案によれば、集水部により雨水を吸い込ませ、排水部に雨水を落として、付設された経路に沿って雨水を流すことができるので、より効率的に山林の雨水を集排水することができる。また、泥やごみ等が排水部の空間に入り込むことがないので、空間での排水詰まりの発生を抑制することができる。
【図面の簡単な説明】
【００１１】
【図１】本考案の一実施形態に係る集排水管の断面斜視図
【図２】集排水管の断面図
【図３】集排水管が設置された山林の概略図
【図４】集排水の様子を概略的に示す集排水管の断面図
【図５】本考案の他の実施形態に係る集排水管の断面図
【考案を実施するための形態】
【００１２】
図１乃至図４は本考案の実施形態を示すもので、例えば山林２５において降雨時の排水に用いられる集排水管１０を示すものである。
【００１３】
本実施形態の集排水管１０は、通水性のある多孔質の材料からなり、一方向に延びる集水部１１と、可撓性のある材料からなり、同じ一方向に延び、集水部１１の下方に配置される断面略Ｕ字状の排水部１２とを有し、排水部１２は、集水部１１と接続される接続部１４と、排水部１２及び集水部１１の間で流水用の空間を形成する空間形成部１５とを有している。ここで、排水部１２の接続部１４は、集水部１１の一部を外側から挟むように形成され、外側面と集水部１１とを通ずる複数の穴１６を有している。また、集水部１１は、可撓性または柔軟性のある材料からなるものとすることができる。
【００１４】
集水部１１は、表面が外部に露出した露出部１３を有している。集水部１１は、可撓性または柔軟性のある材料であることが好ましく、例えばスポンジ状のものとすることができる。また、集水部１１は、植物が根を張ることができるものとすることにより、山林２５の植生と一体化して山林２５の景観を害することなく、効率的に山林２５の地表面２１を流れる雨水を集排水することができる。
【００１５】
排水部１２は、可撓性のあるジャバラ状の管の上半分を切り落として、断面を略Ｕ字型にしたものとすることができる。また、集水部１１と排水部１２とは、一体化された状態で自由に曲げることができ、様々な地形の場所に配置することができる。集排水管１０は、空間形成部１５を地中に埋めるようにして配置することが望ましい。これにより、集排水管１０は、露出部１３に直接当たる雨水２２等を、集水部１１の多孔質の材料によって吸い込ませた後、空間１７に落として、空間１７内を集排水管１０が付設された経路に沿って流すことができる。また、集排水管１０は、地表面２１の雨水２３等を、複数の穴１６を介して、集水部１１に吸い込ませた後、空間１７に落として、空間１７内を集排水管１０が付設された経路に沿って流すことができる。
【００１６】
ここで、露出部１３、接続部１４及び空間形成部１５のそれぞれの高さを合わせた全体高さのうち、露出部１３の高さの割合は４０〜６０％、好ましくは４５〜５５％とすることができる。接続部１４の高さと空間形成部１３の高さを合わせた排水部１２の高さのうち、空間形成部１５の高さの割合は４０〜６０％、好ましくは４５〜５５％とすることができる。これにより、集水部１１はより大きな体積を占め、より多くの雨水を取り込むことができると共に、空間１７により効率よく排水することができる。また、露出部１３により直接的に雨水を取り込むと共に、接続部１４により地表に溜まる雨水を取り込むため、効率的に周囲の雨水を集めることができる。
【００１７】
以上のように構成され、例えば山林２５に配置された集排水管１０は、山林２５の降雨時において、露出部１３に直接当たる雨水２２を集水部１１に吸い込ませ、また地表面２１の雨水２３を複数の穴１６を介して集水部１１に吸い込ませ、その後、空間１７に落として、空間１７内を集排水管１０が付設された経路に沿って流す。
【００１８】
このように、本実施形態の集排水管によれば、露出部１３により、直接雨水を集水部１１に浸み込ませると共に、接続部１４において地表面２１を浸み込ませる。これにより、地滑り／土砂崩れ等が発生する恐れのある山林２５から、雨水等を排水することができる。また、集水部１１は、雨水２２，２３を吸い込んで溜めることができるため、集排水管１０により排水しきれない場合であっても、それ自体である程度、地中に浸み込まれる雨水を減少させることができる。ここで、集水部１１は多孔質の材料からなるため、泥やごみ等が空間１７に入り込むことがなく、空間１７での排水の詰まりの発生を抑制することができる。
【００１９】
更に、地表の雨水２３を取り入れる接続部１４は、穴１６の内側に、多孔質の材料からなる集水部１１が配置されているため、前述と同様、泥やごみ等が空間１７に入り込むことがなく、空間１７での排水の詰まりの発生を抑制することができる。また、排水部１２は、ジャバラ状でなくてもよく、曲げることができれば一様な円弧断面を有するものであってもよい。
【００２０】
上述の形態では、空間形成部１５を地中に埋めて、接続部１４を地表より上に出すこととしたが、接続部１４も地中に埋めるように使用してもよい。この場合には、穴１６からは地中に吸い込まれた地表付近の雨水を取り込むことができる。
【００２１】
図５は本考案の他の実施形態を示すもので、例えば山林２５において降雨時の排水に用いられる集排水管１０の変形例を示すものである。この変形例では、接続部１４に穴１６がないことを除き、図１乃至図４の実施形態の集排水管１０と同様であり、重複する説明を省略する。接続部１４に穴がない場合には、接続部１４を地中に埋めるように使用することができる。露出部１３は、直接当たる雨水２２を取り込むと共に、地表面２１の雨水２３を取り込むことができる。このように構成した場合であっても、より効率的に山林の雨水を集排水することができる。
【００２２】
なお、上述の実施形態においては、断面形状を略円形とするものとしたが、矩形やその他の形状であっても考案を適用することができる。
【符号の説明】
【００２３】
１０…集排水管、１１…集水部、１２…排水部、１３…露出部、１４…接続部、１５…空間形成部、１６…穴、１７…空間、２１…地表面、２２，２３…雨水、２５…山林。
【図１】
0003210828.tif 000003
【図２】
0003210828.tif 000004
【図３】
0003210828.tif 000005
【図４】
0003210828.tif 000006
【図５】
0003210828.tif 000007